(57)【要約】【課題】    レシートを集めておき人手でレシート内容を家計簿に書き写して集計していたがレシート内容を自宅のＰＣ端末に転送して家計の支出を管理することができるレシート情報収集・転送処理システムを提供すること。【解決手段】  ＰＯＳシステム１０ａに搭載されているデータ転送装置２０ａは、レシートに記載されている情報を携帯電話３０ａにデータ転送し、携帯電話３０ａでのデータ受信後携帯メール機能を利用しネットワークを介して自宅メールアドレスに送信する。ＰＣ端末４０ａで自宅メールアドレスに送信されたデータを受信する。【選択図】図１
2008242675.tif 000002
【特許請求の範囲】
【請求項１】
レシートに記載する情報をデータで保持しておき保持したデータを携帯電話にデータ転送するデータ転送装置と、データ転送装置から受信したデータを携帯電話内のメール機能を利用して自動的に自宅のメールアドレスに送付する携帯電話と、を備えることを特徴とする携帯電話を利用したＰＯＳシステムからのレシート情報収集・転送処理システム。
【請求項２】
前記データ転送装置は、前記レシートを発行する店舗に設置することを特徴とする請求項１に記載のレシート情報収集・転送処理システム。
【請求項３】
前記データ転送装置は、前記レシートに記載されている情報をテキスト情報として保持しておき、前記記憶部は、前記テキスト情報を保持することを特徴とする請求項１または２に記載のレシート情報収集・転送処理システム。
【請求項４】
前記データ転送装置は、レシートに記載されている情報をテキスト情報として保持しておき保持したテキスト情報を携帯電話に転送するデータ転送処理部を備え、前期データ転送処理部がレシート情報をテキスト情報として携帯電話に転送し、前記記憶部は、前記テキスト情報を保持することを特徴とする請求項１または請求項２に記載のレシート情報収集・転送処理システム。
【請求項５】
前記携帯電話は、前記データ転送装置から転送されたテキスト情報を携帯電話の携帯メール機能を利用して送信されるテキスト情報を携帯メール機能に転送する携帯メールデータ転送処理部を備え、前記携帯メールデータ転送処理部がレシートに記載されている情報をテキスト情報として携帯電話のメール機能に転送することを特徴とする請求項１または請求項に記載のレシート情報収集・転送処理システム。
【請求項６】
前記携帯電話は、前記携帯メールデータ転送処理部から自宅のＰＣ端末のメールアドレスに送信するテキスト情報を携帯電話の携帯メール機能を利用して送信する携帯メールデータ転送処理部を備え、前記携帯メールデータ転送処理部がレシート情報をテキスト情報として携帯電話のメール機能を利用して自宅のＰＣ端末のメールアドレスに自動的に送信することを特徴とする請求項１または請求項２に記載のレシート情報収集・転送処理システム。
【発明の詳細な説明】
【技術分野】
【０００１】
本発明は、レシートの情報を収集・転送して管理するレシート情報収集・転送処理システムに関するものである。
【背景技術】
【０００２】
金銭の管理は、一般には家計簿により行なっている。家計簿にて金銭を管理する場合、商品購入時に入手するレシートの内容を手作業で記帳しなければならない。自宅のＰＣ端末で金銭管理する場合には、手作業でレシート内容を入力する必要がある。１ヶ月分のレシートは、膨大の数になるため、手入力作業のため効率的に出来ない問題がある。
【０００３】
このような問題を改善するための従来技術として特許文献１の如くレジで商品会計を行いレシートを入手し、該レシート情報をスキャナ等にて読み込む方法がある。つまり、レシート情報をレシート情報管理サーバのＤＢに保持し、自宅のＰＣ端末からレシート情報管理サーバにアクセスしてレシート情報を管理する方法である。
【０００４】
【特許文献１】特開２００５−９２６３５号公報
【発明の開示】
【発明が解決しようとする課題】
【０００５】
レシート情報管理サーバは、新規にサーバを設備し維持運用する必要がある。そのため、上記従来技術では、コスト的に維持することは難しい。また、レシート情報管理サーバと各拠点のＰＯＳシステムとの回線も新規に設置する必要があり、膨大な設備投資費用が発生してしまう問題がある。
【０００６】
本発明は、上記問題に鑑みてなされたものであって、新規サーバ設置、回線新規敷設などの条件に左右されることなく、設備投資を抑えて簡単に家計の支出を管理することができるレシート情報収集・転送処理システムを得ることを目的とする。
【課題を解決するための手段】
【０００７】
上述した課題を解決し、目的を達成するために、請求項１にかかる発明は、レシートに記載する情報をデータで保持しておき保持したデータを携帯電話にデータ転送するデータ転送装置と、データ転送装置から受信したデータを携帯電話内のメール機能を利用して自動的に自宅のメールアドレスに送付する携帯電話と、を備えることを特徴とする。
【０００８】
この請求項１にかかる発明によれば、データ転送装置がレシートに記載されている情報をデータで保持しておき保持したデータを記憶部に保持するようにしている。
【０００９】
請求項２にかかる発明は、請求項１にかかるレシート情報収集・転送処理システムにおいて、前記データ転送装置を、前記レシートを発行する店舗に設置することを特徴とする。
【００１０】
この請求項２にかかる発明によれば、データ転送装置はレシートを発行する店舗に設置するようにしている。
【００１１】
請求項３にかかる発明は、請求項１または２にかかるレシート情報収集・転送処理システムにおいて、前記データ転送装置は、前記レシートに記載されている情報をテキスト情報として保持しておき、前記記憶部は、前記テキスト情報を保持することを特徴とする。
【００１２】
この請求項３にかかる発明によれば、レシートの情報をテキスト情報で記憶部に保持するようにしている。
【００１３】
請求項４にかかる発明によれば、請求項１または２にかかるレシート情報収集・転送処理システムにおいて、前記データ転送装置は、前記レシートに記載されている情報をテキスト情報として保持しておき保持したテキスト情報を携帯電話に転送するデータ転送処理部を備え、前期データ転送処理部がレシート情報をテキスト情報として携帯電話に転送し、前記記憶部は、前記テキスト情報を保持することを特徴とする。
【００１４】
この請求項４にかかる発明によれば、データ転送装置は、前記レシートに記載されている情報をテキスト情報として保持しておき保持したテキスト情報を携帯電話に転送するデータ転送処理部を備え、前期データ転送処理部がレシート情報をテキスト情報として携帯電話に転送し、前記記憶部は、前記テキスト情報を保持するようにしている。
【００１５】
請求項５にかかわる発明によれば、前記携帯電話は、前記データ転送装置から転送されたテキスト情報を携帯電話の携帯メール機能を利用して送信されるテキスト情報を携帯メール機能に転送する携帯メールデータ転送処理部を備え、前記携帯メールデータ転送処理部がレシートに記載されている情報をテキスト情報として携帯電話のメール機能に転送することを特徴とする。
【００１６】
この請求項５にかかる発明によれば、携帯メール機能に転送する携帯メールデータ転送処理部がレシートに記載されている情報をテキスト情報として携帯電話のメール機能に転送するようにしている。
【００１７】
請求項６にかかる説明は、前記携帯電話は、前記携帯メールデータ転送処理部から自宅のＰＣ端末のメールアドレスに送信するテキスト情報を携帯電話の携帯メール機能を利用して送信する携帯メールデータ転送処理部を備え、前記携帯メールデータ転送処理部がレシート情報をテキスト情報として携帯電話のメール機能を利用して自宅のＰＣ端末のメールアドレスに自動的に送信することを特徴とする。
【００１８】
この請求項６にかかる発明によれば、携帯メールデータ転送処理部がレシート情報をテキスト情報として携帯電話のメール機能を利用して自宅のＰＣ端末のメールアドレスに自動的に送信するようにしている。
【発明の効果】
【００１９】
請求項１にかかる発明によれば、データ転送装置がレシートに記載されている情報を携帯電話に転送し、携帯電話のメール機能を利用しているため、レシート情報管理サーバを設置する過剰設備投資をする必要がないため、設備投資を抑止して家計の支出を管理することができるという効果を奏する。
【００２０】
また、請求項２にかかる発明によれば、データ転送装置をレシートを発行する店舗に設置するようにしているため、ユーザは、商品精算時点でその情報を取得する事ができ、レシートの紛失による家計の支出管理からデータ欠落をなくしたり、不要となったレシートも何れ処分してペーパレス化することができるという効果を奏する。
【００２１】
また、請求項３にかかる発明によれば、レシートの情報をテキスト情報で記憶部に保持するようにしているため、レシート情報の流用ができるという効果を奏す。
【００２２】
また、請求項４にかかる発明によれば、データ転送装置はレシートに記載されている情報をテキスト情報として携帯電話に転送するため、商品購入時の会計と同時にＰＯＳシステムから携帯電話に情報を自動的に転送されるため効率よく情報が収集できる効果を奏する。
【００２３】
また、請求項５にかかる発明によれば、携帯電話のメール機能に自動的にレシート内容のテキスト情報を転送するため、ユーザの操作性を向上することが出来るという効果を奏する。
【００２４】
また、請求項６にかかる発明によれば、携帯電話のメール機能により自動的にレシート内容のテキスト情報を自宅のＰＣ端末のメールアドレスに送信するため、ユーザの操作性を向上することが出来るという効果を奏する。
【発明を実施するための最良の形態】
【００２５】
以下、図面を参照して、この発明にかかる携帯電話を利用したＰＯＳシステムからのレシート情報収集・転送処理システムの最良な実施の形態を詳細に説明する。
【実施例１】
【００２６】
図１、図２を用いてこの発明の実施例１を説明する。図１は、この発明における実施例１のＰＯＳシステムからのレシート情報収集・転送処理システムの構成を示す図である。この発明における実施例１のＰＯＳシステムからのレシート情報収集・転送処理システムは、複数の携帯電話３０ａ（この場合は１台）は、複数のデータ転送装置２０ａ（この場合は１台）を介してレシート情報を受取、複数の携帯電話３０ａ（この場合は１台）が携帯メール機能を使用してＰＣ端末４０ａ（この場合は１台）がレシート情報を受信している。なお、データ転送装置が特許請求の範囲でいうところの記憶部、データ転送処理部であり、携帯電話の携帯メールデータ転送処理部が特許請求の範囲でいうところの携帯電話である。
【００２７】
データ転送装置２０ａは、すべて同じ機能を備えており、ＰＯＳシステムからレシート情報をテキスト情報として保持して、保持したレシート情報を携帯電話３０ａに送信する。なお、レシート情報をテキスト情報として読み取り、読み取った情報をデジタル処理可能な入力手段であればよい。
【００２８】
携帯電話３０ａは、ＰＯＳシステムからレシート情報を受信できる機能を有しており、レシート情報を自動的にＰＣ端末４０ａに送信する。
【００２９】
ＰＣ端末４０ａは、レシート情報を受信したい自宅ＰＣで行い、送信されたメールアドレスでレシート情報を受信する。
【００３０】
図２のフローチャートを参照して、この発明における実施例１のＰＯＳシステムからのレシート情報収集・転送処理システムの動作を説明する。まず、図２のフローチャートを参照して、レシートの情報をＰＣ端末までに送信する動作を説明する。
【００３１】
ＰＯＳシステム１０ａからのレシート情報収集・転送処理システムに契約している店舗は、データ転送装置２０ａを所持している。ＰＯＳシステムからのレシート情報収集・転送処理システムに契約しているユーザは、商品精算の際に、レシートを受け取る（ステップＳ１００）と同時にユーザは、ＰＯＳシステムに装着されたデータ転送装置２０ａに例えば携帯電話３０ａをかざす。
【００３２】
データ転送装置２０ａは、ＰＯＳシステムからレシート情報をテキスト情報として保持する（ステップＳ１１０）。データ転送装置２０ａは、携帯電話にレシート情報を転送する（ステップＳ１２０）。データ転送装置から携帯電話へのレシート情報の転送方法は周知の技術により実現可能である。携帯電話に保持されたレシート情報は、携帯電話の所有者によりメール機能で自宅ＰＣのメールアドレスに送信する（ステップＳ１３０）。自宅ＰＣは、テキスト情報を受信する。(ステップＳ１４０)。
【００３３】
ユーザは、商品購入した際に受け取ったレシートをデータ転送装置にかざすだけで、レシートの情報を自宅ＰＣに保存することができる。
【００３４】
以上、説明したようにこの実施例１では、データ転送装置がＰＯＳシステムからのレシート内容の情報をテキスト形式で携帯電話にデータ転送し、携帯電話のメール機能を利用して自宅ＰＣのメールアドレスにレシート内容を送信するため、レシート情報管理サーバを設置しなくても簡単に自宅ＰＣで家計の支出を管理することができる。
【００３５】
商品購入時にＰＯＳシステムで精算しているユーザのみが、データ転送装置にかざすため、データ転送装置の保持しているレシート内容をかざしたユーザのみがレシート情報を収集できるためセキュリティーの面で安全である。
【００３６】
図３に示すように、百貨店、スーパーマーケット、コンビニエンスストア、個人商店などレシートを発行する複数の店舗５０ａ（この場合は１店）に、データ転送装置２０ａを装着したＰＯＳシステム１０ａを設置する。データ転送装置２０ａを装着したＰＯＳシステム１０ａは、１店舗に複数台設置してもよい。各店舗で記載しているレシート内容を全てテキスト形式でデータ転送するためどの店舗のものでるかを、特定できる。
【００３７】
データ転送装置を装着したＰＯＳシステムが店舗に設置してあれば、ユーザは、レシートを持ちあることなくレシートの情報を自宅ＰＣに保存することが可能となり、レシートの紛失や、帰宅後にレシートを整理するという煩雑な作業をなくすことができる。
【００３８】
ＰＯＳシステムにデータ転送装置が装着していれば、ユーザ側は、データ転送装置を準備する必要がない。ユーザは、余計な費用が発生することなく、かつ、レシート情報管理サーバを設置することなくＰＯＳシステムからのレシート情報収集・転送処理システムを利用することができる。
【００３９】
現状の店舗の設備として、ＰＯＳシステムを改良してデータ転送装置を装着し、いつでも所持している携帯電話のメール機能を利用するだけで自宅ＰＣまでレシート情報を転送できるため店舗と自宅までのネットワーク設備も準備することなく既設の無線回線、インターネット回線を利用できるという最低限の設備投資で、このＰＯＳシステムからのレシート情報収集・転送処理システムを利用することができる
【実施例２】
【００４０】
図４を用いてこの発明の実施例２を説明する。この発明における実施例２のＰＯＳシステムからのレシート情報収集・転送処理システムの構成は、図１または図２に示すものと同様となるので、ここではその説明は省略する。
【００４１】
図４のフローチャートを参照して、この発明における実施例２のＰＯＳシステム１０ａからのレシート情報収集・転送処理システムの情報を携帯電話３０ａのメール機能を利用して自宅のＰＣ端末４０ａまでレシート情報を送信する動作を説明する。ユーザは、商品を精算した際に、レシートを受け取って、受け取った際に、ユーザの携帯電話３０ａをＰＯＳシステム１０ａに装着したデータ転送装置２０ａにかざす（ステップＳ２００）。
【００４２】
データ転送装置２０ａは、ＰＯＳシステム１０ａからレシート内容をテキスト情報として受け取り（ステップＳ２１０）、受け取ったレシート情報を携帯電話３０ａに転送する（ステップＳ２２０）。
【００４３】
携帯電話３０ａは、データ転送装置２０ａから送信されたレシートの情報を受信して、受信したレシートの情報のテキスト情報を保存する。携帯電話３０ａに保存したレシート情報を携帯メール機能に転送して自宅のＰＣ端末に転送する（ステップＳ２３０）。
【００４４】
自宅のＰＣ端末４０ａで、メール受信したレシートの情報は、商品を購入した際に受け取ったレシートと同じ情報となる。
【００４５】
このようにこの実施例２では、レシートの情報をテキスト情報として扱うようにしているため、ユーザはレシートの内容を欠落することなく参照することが可能となり、家計の支出を管理できる。
【００４６】
データ転送装置は、レシート情報をテキスト情報としてを扱うようにしているため、家計の支出管理でのデータ加工をしやすくなっている。
【実施例３】
【００４７】
図５を用いてこの発明の実施例３を説明する。この発明における実施例３のＰＯＳシステムからのレシート情報収集・転送処理システムの構成は、図１または図２に示すものと同様となるので、ここではその説明は省略する。
【００４８】
データ転送装置２０ａは、実施例１のデータ転送装置２０ａの機能に加えてデータ転送処理によりレシート情報を携帯電話に転送する処理を備えている。転送処理は、ハードウェアとソフトウェアの両方で実現する。また、ＰＯＳシステムからレシートの情報のテキストデータを転送するものであれば転送処理のアルゴリズムはどのようなものであってもよい。
【００４９】
図５のフローチャートを参照して、この発明における実施例３のＰＯＳシステム１０ａからのレシート情報収集・転送処理システムの情報を携帯電話３０ａのメール機能を利用して自宅のＰＣ端末４０ａまでレシート情報を送信する動作を説明する。ユーザは、商品を精算した際に、レシートを受け取って、受け取った際に、ユーザの携帯電話３０ａをＰＯＳシステム１０ａに装着したデータ転送装置２０ａにかざす（ステップＳ３００）。
【００５０】
データ転送装置２０ａは、ＰＯＳシステム１０ａからレシート内容をテキスト情報として受け取り（ステップＳ３１０）、携帯電話３０ａをデータ転送装置２０ａにかざす（ステップＳ３２０）、受け取ったレシート情報を携帯電話３０ａに転送する（ステップＳ３３０）。
【００５１】
携帯電話３０ａは、データ転送装置２０ａから送信されたレシートの情報を受信して、受信したレシートの情報のテキスト情報を保存する。携帯電話３０ａに保存したレシート情報を携帯メール機能に転送して自宅のＰＣ端末に転送する（ステップＳ３４０）。
【００５２】
自宅のＰＣ端末４０ａで、メール受信する動作は、図２のフローチャートに示した受信処理と同様となるので、ここではその説明を省略するが、自宅のＰＣ端末４０ａに表示される情報はレシートの情報はテキスト情報となる。
【００５３】
このようにこの実施例３では、データ転送装置のデータ転送処理部が、携帯電話をデータ転送装置にかざすだけで、レシートの情報を携帯電話に転送しているため、ユーザの便利性を向上することができる。
【実施例４】
【００５４】
図６を用いてこの発明の実施例４を説明する。この発明における実施例４のＰＯＳシステムからのレシート情報収集・転送処理システムの構成は、図１または図２に示すものと同様となるので、ここではその説明は省略する。
【００５５】
携帯電話３０ａは、実施例１の携帯電話３０ａの機能に加えてデータ転送処理によりレシート情報を携帯電話のメール機能に転送する処理を備えている。転送処理は、ハードウェアとソフトウェアの両方で実現する。また、携帯電話メール機能へレシート情報のテキストデータを転送するものであれば転送処理のアルゴリズムはどのようなものであってもよい。
【００５６】
図６のフローチャートを参照して、この発明における実施例４のＰＯＳシステム１０ａからのレシート情報収集・転送処理システムの情報を携帯電話３０ａのメール機能を利用して自宅のＰＣ端末４０ａまでレシート情報を送信する動作を説明する。ユーザは、商品を精算した際に、レシートを受け取って、受け取った際に、ユーザの携帯電話３０ａをＰＯＳシステム１０ａに装着したデータ転送装置２０ａにかざす（ステップＳ４００）。
【００５７】
データ転送装置２０ａは、ＰＯＳシステム１０ａからレシート内容をテキスト情報として受け取り（ステップ４１０）、携帯電話３０ａをデータ転送装置２０ａにかざし、受け取ったレシート情報を携帯電話３０ａに転送する（ステップＳ４２０）。
【００５８】
携帯電話３０ａは、データ転送装置２０ａから送信されたレシートの情報を受信して、受信したレシートの情報のテキスト情報を保存する（ステップＳ４３０）。携帯電話３０ａに保存したレシート情報を携帯メール機能に自動転送して、自宅のＰＣ端末に転送する（ステップＳ４４０）。
【００５９】
自宅のＰＣ端末４０ａで、メール受信する動作は、図２のフローチャートに示した受信処理と同様となるので、ここではその説明を省略するが、自宅のＰＣ端末４０ａに表示される情報はレシートの情報はテキスト情報となる。
【００６０】
このようにこの実施例４では、携帯電話のデータ転送処理部が、携帯電話のメール機能に自動的にレシートの情報を渡し自宅のＰＣ端末のメールアドレスに転送しているため、ユーザの便利性を向上することができる。
【産業上の利用可能性】
【００６１】
以上のように、本発明にかかるＰＯＳシステムからのレシート情報収集・転送処理システムは、収支管理に有用であり、特に、家計簿に適している。
【図面の簡単な説明】
【００６２】
【図１】この発明における実施例１のＰＯＳシステムからのレシート情報収集・転送処理システムの構成の一例を示す図である。
【図２】この発明における実施例１のＰＯＳシステムからのレシート情報収集・転送処理システムの構成の一例を示す図である。
【図３】この発明における実施例１のＰＯＳシステムからのレシート情報収集・転送処理システムの構成の一例を示す図である。
【図４】この発明における実施例２のＰＯＳシステムからのレシート情報収集・転送処理システムの構成の一例を示す図である。
【図５】この発明における実施例３のＰＯＳシステムからのレシート情報収集・転送処理システムの構成の一例を示す図である。
【図６】この発明における実施例４のＰＯＳシステムからのレシート情報収集・転送処理システムの構成の一例を示す図である。
【符号の説明】
【００６３】
１０ａ：ＰＯＳシステム
２０ａ：データ転送装置
３０ａ：帯電話
４０ａ：ＰＣ端末
５０ａ：店舗
【図１】
2008242675.tif 000003
【図２】
2008242675.tif 000004
【図３】
2008242675.tif 000005
【図４】
2008242675.tif 000006
【図５】
2008242675.tif 000007
【図６】
2008242675.tif 000008